(57)【要約】      （修正有）【課題】電子機器のスクリーンを対応して覆うように電子機器の吸着素子に装着できるとともに、のぞき見の防止及びプライバシーの保護の機能を実現できるスクリーン保護フィルタを提供する。【解決手段】保護フィルタ本体１０は、吸着領域および保護領域を含む。吸着部材は、保護フィルタ本体における吸着領域に設けられるとともに、少なくとも１つの吸着ブロックを含む。吸着部材により保護フィルタ本体における保護領域を電子機器のスクリーンに対応して覆うことで、保護フィルタ本体を電子機器の吸着素子に装着することにより、画面内容が付近にいる人により見られることを防止することができる上に、プライバシーを守ることができる。スクリーン保護フィルタを電子機器のスクリーンに容易に着脱することができるため、必要に応じて、吸着部材を吸着素子に装着するか、または、吸着部材を前記吸着素子から取り外すことができる。【選択図】図３
2019113840.tif 000002
【特許請求の範囲】
【請求項１】
透過する光の視野角を減少させるように配置されている保護フィルタ本体と、
少なくとも、第１の吸着ブロック（attracting block）及び開口部を含む吸着部材（attracting member）と、を備えるスクリーン保護フィルタであって、
前記第１の吸着ブロックは、前記保護フィルタ本体の第１の長手方向の端縁に沿って延在されており、
前記開口部は、前記スクリーン保護フィルタがスクリーンに装着された状態で、該スクリーンに近い箇所にある電子機器の機能素子が前記吸着部材で覆われることを抑制するように配置されている、ことを特徴とするスクリーン保護フィルタ。
【請求項２】
請求項１に記載のスクリーン保護フィルタにおいて、
前記第１の吸着ブロックは、前記保護フィルタ本体の前記第１の長手方向の端縁に折り畳まれている、ことを特徴とするスクリーン保護フィルタ。
【請求項３】
請求項１に記載のスクリーン保護フィルタにおいて、
前記吸着部材における前記開口部は、前記第１の吸着ブロックの長手方向の端縁に形成された切欠きである、ことを特徴とするスクリーン保護フィルタ。
【請求項４】
請求項３に記載のスクリーン保護フィルタにおいて、
前記吸着部材の外側部分を覆うように構成された遮蔽部材（shield piece）を更に備えており、
前記遮蔽部材は、前記吸着部材における前記開口部に対応するオープニングを有し、
前記保護フィルタ本体は、前記吸着部材における前記開口部と前記遮蔽部材の前記オープニングとに対応する開孔を有する、ことを特徴とするスクリーン保護フィルタ。
【請求項５】
請求項１に記載のスクリーン保護フィルタにおいて、
前記吸着部材の外側部分を覆うように構成された遮蔽部材をさらに備えており、
前記遮蔽部材は、前記吸着部材における前記開口部に対応する貫通孔（through hole）を有し、
前記保護フィルタ本体は、前記吸着部材における前記開口部と前記遮蔽部材のオープニングとに対応する開孔を有する、ことを特徴とするスクリーン保護フィルタ。
【請求項６】
請求項１に記載のスクリーン保護フィルタにおいて、
前記吸着部材は、前記保護フィルタ本体における前記第１の長手方向に対向する第２の長手方向の端縁に沿って延在される第２の吸着ブロックをさらに備える、ことを特徴とするスクリーン保護フィルタ。
【請求項７】
請求項１に記載のスクリーン保護フィルタにおいて、
前記吸着部材は、前記保護フィルタ本体における他の２つの端縁に沿ってそれぞれ延在される第２の吸着ブロック、及び第３の吸着ブロックをさらに含む、ことを特徴とするスクリーン保護フィルタ。
【請求項８】
請求項１に記載のスクリーン保護フィルタにおいて、
前記第１の吸着ブロックは、前記保護フィルタ本体における他の全ての端縁に沿って延在される、ことを特徴とするスクリーン保護フィルタ。
【請求項９】
請求項１に記載のスクリーン保護フィルタにおいて、
前記保護フィルタ本体は、回折格子層（grating layer）に配置された外面層を含む、ことを特徴とするスクリーン保護フィルタ。
【請求項１０】
透過する光の視野角を減少させるように配置されている保護フィルタ本体と、
少なくとも、第１の吸着ブロックを含む吸着部材と、
前記第１の吸着ブロックの外側部分を覆うように構成されている遮蔽部材と、を備えるスクリーン保護フィルタであって、
前記第１の吸着ブロックは、前記保護フィルタ本体の第１の端縁に沿って延在されており、
前記遮蔽部材は、前記スクリーン保護フィルタが電子機器のスクリーンに装着されたときに前記電子機器を保護するためのものである、ことを特徴とするスクリーン保護フィルタ。
【請求項１１】
請求項１０に記載のスクリーン保護フィルタにおいて、
前記吸着部材は、前記スクリーン保護フィルタが前記スクリーンに装着されたときに、前記スクリーンに近い箇所にある前記電子機器の機能素子が覆われることを抑制するように、配置されている開口部を含む、ことを特徴とするスクリーン保護フィルタ。
【請求項１２】
請求項１１に記載のスクリーン保護フィルタにおいて、
前記吸着部材における前記開口部は切欠きである、ことを特徴とするスクリーン保護フィルタ。
【請求項１３】
請求項１１に記載のスクリーン保護フィルタにおいて、
前記遮蔽部材は、前記吸着部材における前記開口部に対応する貫通孔を備えており、
前記保護フィルタ本体は、前記吸着部材における前記開口部と、前記遮蔽部材の前記貫通孔とに対応する開孔を有する、ことを特徴とするスクリーン保護フィルタ。
【請求項１４】
請求項１０に記載のスクリーン保護フィルタにおいて、
前記保護フィルタ本体における前記第１の端縁に対向又は隣接する第２の端縁に沿って延在される第２の吸着ブロックをさらに含む、ことを特徴とするスクリーン保護フィルタ。
【請求項１５】
請求項１０に記載のスクリーン保護フィルタにおいて、
前記第１の吸着ブロックは、前記第１の端縁に折り畳まれている、ことを特徴とするスクリーン保護フィルタ。
【請求項１６】
請求項１０に記載のスクリーン保護フィルタにおいて、
前記第１の端縁は、長手方向の端縁または幅方向の端縁である、ことを特徴とするスクリーン保護フィルタ。
【請求項１７】
透過する光の視野角を減少させるように配置されている保護フィルタ本体と、
少なくとも、前記保護フィルタ本体の隅角部に配置されている第１の吸着ブロックを含む吸着部材と、
前記保護フィルタ本体の隅角部に配置されているとともに、前記第１の吸着ブロックの外側部分を覆うように配置されている第１の遮蔽部材と、を備えるスクリーン保護フィルタであって、
前記隅角部は、前記保護フィルタ本体における第１の端縁および第２の端縁により画定されており、
前記第１の遮蔽部材は、前記スクリーン保護フィルタが電子機器のスクリーンに装着されたときに、電子機器を保護するためのものであり、かつ、前記保護フィルタ本体における前記第１の端縁および第２の端縁に直接隣接している前記保護フィルタ本体の端面に沿って延在する、ことを特徴とするスクリーン保護フィルタ。
【請求項１８】
請求項１７に記載のスクリーン保護フィルタにおいて、
前記第１の吸着ブロックは、円形、楕円形、棒状、三角形、長方形、正方形、扇形またはＬ字状である、ことを特徴とするスクリーン保護フィルタ。
【請求項１９】
請求項１７に記載のスクリーン保護フィルタにおいて、
第２の吸着ブロックを更に備えており、
前記第２の吸着ブロックは、前記保護フィルタ本体における第３の端縁全体に沿って延在されているか、または、前記保護フィルタ本体の前記第３の端縁の少なくとも一部を覆うように折り畳まれている、ことを特徴とするスクリーン保護フィルタ。
【請求項２０】
請求項１９に記載のスクリーン保護フィルタにおいて、
前記第２の吸着ブロックは、前記保護フィルタ本体における前記第３の端縁の側面に隣接して配置されており、
前記吸着部材はさらに開口部を含んでおり、
前記開口部は、前記スクリーン保護フィルタがスクリーンに装着されたときに、スクリーンに近い箇所にある電子機器の機能素子が覆われることを抑制するように配置されている、ことを特徴とするスクリーン保護フィルタ。
【請求項２１】
請求項２０に記載のスクリーン保護フィルタにおいて、
前記吸着部材の外側部分を覆うように配置されている第２の遮蔽部材をさらに備えており、
前記第２の遮蔽部材は、前記吸着部材における前記開口部に対応する第２オープニングを備えており、
前記保護フィルタ本体は、前記第２の吸着部材における前記開口部と、前記第２の遮蔽部材の前記第２のオープニングとに対応する開孔を備えている、ことを特徴とするスクリーン保護フィルタ。
【請求項２２】
請求項１７に記載のスクリーン保護フィルタにおいて、
前記保護フィルタ本体における前記隅角部には、受容孔が形成されており、
前記第１の吸着ブロックは、前記受容孔に位置している、ことを特徴とする記載のスクリーン保護フィルタ。
【請求項２３】
請求項１７に記載のスクリーン保護フィルタにおいて、
前記保護フィルタ本体の前記隅角部には、複数の受容孔が形成されており、
前記第１の吸着ブロック、及び１つ若しくは複数の第２の吸着ブロックは、これらの前記受容孔に位置している、ことを特徴とするスクリーン保護フィルタ。
【請求項２４】
請求項１７に記載のスクリーン保護フィルタにおいて、
両者がともに前記保護フィルタ本体における第３の端縁全体に沿って延在されている、第２の吸着ブロックと、第３の吸着ブロックとを更に備え、
前記第２の吸着ブロックと前記第３の吸着ブロックの両者の間には隙間が存在しており、
前記隙間は、前記スクリーン保護フィルタが前記スクリーンに装着されたときに、前記スクリーンに近い箇所にある前記電子機器の機能素子に対応するように構成されている、ことを特徴とするスクリーン保護フィルタ。
【請求項２５】
請求項２４に記載のスクリーン保護フィルタにおいて、
前記第２の吸着ブロックの外側部分を覆うように配置されている第２の遮蔽部材と、
前記第３の吸着ブロックの外側部分を覆うように配置されている第３の遮蔽部材と、を更に備え、
前記第２の遮蔽部材、および前記第３の遮蔽部材は、前記スクリーン保護フィルタがスクリーンに装着されたときに、電子機器を保護するためのものである、ことを特徴とするスクリーン保護フィルタ。
【請求項２６】
スクリーン保護フィルタであって、
透過する光の視野角を減少させるように配置されている保護フィルタ本体と、
両者がともに前記保護フィルタ本体の第１の端縁全体に沿って延在されるように配置されている第１の吸着ブロックと第２の吸着ブロックと、を備え、
第１の吸着ブロックと第２の吸着ブロックの両者の間には隙間が存在しており、
前記隙間は、前記スクリーン保護フィルタがスクリーンに装着されたときに、前記スクリーンに近い箇所にある電子機器の機能素子に対応するように構成されている、ことを特徴とするスクリーン保護フィルタ。
【請求項２７】
請求項２６に記載のスクリーン保護フィルタにおいて、
前記第１の吸着ブロックの外側部分を覆うように配置されている第１の遮蔽部材と、
前記第２の吸着ブロックの外側部分を覆うように配置されている第２の遮蔽部材と、を更に備え、
前記第１の遮蔽部材、および前記第２の遮蔽部材は、前記スクリーン保護フィルタがスクリーンに装着されたときに、電子機器を保護するためのものである、ことを特徴とするスクリーン保護フィルタ。
【請求項２８】
請求項２６に記載のスクリーン保護フィルタにおいて、
前記保護フィルタ本体における前記第１の端縁に対向する第２の端縁全体に沿って延在されている第３の吸着ブロックと、
前記第３の吸着ブロックの外側部分を覆うように配置されている第３の遮蔽部材と、を更に備え、
前記第３の遮蔽部材は、前記スクリーン保護フィルタがスクリーンに装着されたときに、電子機器を保護するためのものである、ことを特徴とするスクリーン保護フィルタ。
【請求項２９】
請求項２６に記載のスクリーン保護フィルタにおいて、
前記第１の吸着ブロックと前記第２の吸着ブロックは、前記第１の端縁全体に折り畳まれており、
前記第１の吸着ブロックと前記第２の吸着ブロックの両者の間には隙間が存在している、ことを特徴とするスクリーン保護フィルタ。
【請求項３０】
請求項２６に記載のスクリーン保護フィルタにおいて、
前記隙間は、前記保護フィルタ本体における開孔に対応するように構成されている、ことを特徴とするスクリーン保護フィルタ。
【発明の詳細な説明】
【技術分野】
【０００１】
（関連出願の参照）
本出願は、２０１６年１２月９日に中国で出願された特許出願第２０１６２１３４９３５６．７号の優先権を主張する、２０１７年１２月７日に米国で出願された特許出願第１５／８３４，３２４号の一部継続出願であり、その内容全体を参照する。
【０００２】
本出願は、また、２０１７年５月２１日に欧州連合で出願された特許出願第００３８１２９８１号の優先権を主張する、２０１７年１１月１７日に米国で出願された意匠出願第２９／６２６，５０２号の一部継続出願であり、その内容全体を参照する。
【０００３】
本発明は、スクリーン保護フィルタに関し、特に、吸着型のスクリーン保護フィルタに関するものである。
【背景技術】
【０００４】
テクノロジやインターネットの進歩に伴い、スマートフォン、タブレット、ノートパソコンなどのモバイル機器が日々の生活での必需品となってきている。モバイル機器は、ポータブルで携帯に便利であるため、オフィスや公共施設、公共交通機関などで使用することができるものである。
【０００５】
一般に市販されているモバイル機器は、画面へののぞき見を防ぐ機能を備えていないのが大部分である。モバイル機器を公共の場で使用する場合、その画面における表示内容は付近の箇所にある人により軽易に見られるため、ユーザのプライバシーへの保護は不可能になっている。このように容易に見られることを解決するためには、その解決策の一例として、モバイル機器のスクリーンにプライバシーフィルムを付着することが提案されている。しかしながら、ユーザは、付着したプライバシーフィルムをスクリーンから取り除くことは困難であるとともに、残った接着剤を除去することも面倒であると分かった。プライベートスペースで使用される場合、プライバシー保護は一時的に配慮されないとしても、付着されたプライバシーフィルムをスクリーンから除去するのが容易ではない。プライバシーフィルムがスクリーンに付着されたままになると、通常、画面の明るさが薄暗くなったり、画面の鮮明度が低下したりするため、ユーザの視力を長く損なう恐れがある。よって、それらを改善するのが必要である。
【発明の概要】
【発明が解決しようとする課題】
【０００６】
前述した問題点に鑑みて、本発明は、一実施形態において、電子機器のスクリーンを対応して覆うように電子機器の吸着素子に装着できるとともに、のぞき見の防止及びプライバシーの保護の機能を実現できるスクリーン保護フィルタを提供する。
【課題を解決するための手段】
【０００７】
本出願に係る一実施形態では、保護フィルタ本体と、吸着部材とを含むスクリーン保護フィルタが提供される。前記保護フィルタ本体は、透過する光の視野角を減少させるように構成されている。前記吸着部材は、第１の吸着ブロックと、開口部とを含んでいる。前記第１の吸着ブロックは、前記保護フィルタ本体の第１の長手方向の端縁に沿って延在されている。前記開口部は、前記スクリーン保護フィルタがスクリーンに装着されたときに、電子機器のスクリーンに近い箇所にある機能素子が前記吸着部材に覆われることを防ぐように構成されている。
【０００８】
本出願に係る他の実施形態では、保護フィルタ本体と、吸着部材と、遮蔽部材とを含むスクリーン保護フィルタが提供される。前記吸着部材は、第１の吸着ブロックを含んでいる。前記保護フィルタ本体は、透過する光の視野角を減少させるように構成されている。前記第１の吸着ブロックは、前記保護フィルタ本体の第１の端縁に沿って延在される。前記遮蔽部材は、前記スクリーン保護フィルタが電子機器のスクリーンに装着されたときに前記電子機器を保護するために、前記第１の吸着ブロックの外側部分を覆うように構成されている。
【０００９】
他の実施形態では、保護フィルタ本体と、吸着部材と、第１の遮蔽部材とを含むスクリーン保護フィルタが提供される。前記吸着部材は、第１の吸着ブロックを含んでいる。前記保護フィルタ本体は、透過する光の視野角を減少させるように構成されている。前記第１の吸着ブロックは、前記保護フィルタ本体の隅角部に設けられている。前記隅角部は、前記保護フィルタ本体の第１の端縁および第２の端縁により画定される。前記第１の遮蔽部材は、前記保護フィルタ本体の隅角部に配置されるとともに、前記第１の吸着ブロックの外側部分を覆うように構成されており、これにより、前記スクリーン保護フィルタが電子機器のスクリーンに装着されたときに前記電子機器を保護する。そして、前記第１の遮蔽部材は、前記保護フィルタ本体の第１および第２の端縁で前記保護フィルタ本体の端面に直接隣接して延在されている。
【００１０】
本出願の他の実施形態では、保護フィルタ本体と、吸着部材と、第２の吸着ブロックとを含むスクリーン保護フィルタが提供される。前記吸着部材は、第１の吸着ブロックと、第２の吸着ブロックを含んでいる。前記保護フィルタ本体は、透過する光の視野角を減少させるように構成されている。前記第１の吸着ブロックおよび前記第２の吸着ブロックは、両者が共に前記保護フィルタ本体の第１の端縁全体に沿って延在されているが、両者の間には隙間が存在している。前記隙間は、前記スクリーン保護フィルタがスクリーンに装着されたときに、電子機器のスクリーンに近い箇所にある機能素子に対応するように構成されている。
【００１１】
以下の実施形態に開示されている様々なスクリーン保護フィルタは、前記保護フィルタ本体の吸着領域に設けられた吸着部材を備える。装着過程において、前記吸着部材を電子機器の吸着素子に合わせるときに、前記スクリーン保護フィルタを前記電子機器に速やかに装着することが可能になり、また、これにより前記電子機器のスクリーンが覆われるため、その画面内容は近い箇所にいる人によりのぞき見られることを防止できるとともに、プライバシーを保護することができる。前記スクリーン保護フィルタを前記電子機器のスクリーンに容易に着脱することができるため、必要に応じて、前記吸着部材を前記吸着素子に装着するか、または、前記吸着部材を前記吸着素子から取り外すことができる。
【００１２】
本出願の前記スクリーン保護フィルタの他の態様および特徴は、以下の説明を通して当業者に対しては明らかであろう。
【図面の簡単な説明】
【００１３】
本発明の詳細は、添付の図面と共に、以下に説明される具体的な内容を参照すれば、より完全に理解されるであろう。これらの添付の図面は、説明のみに用いられるためのものであって、本発明を限定するものではない。
【図１】図１は、本発明の第１の実施形態に係るスクリーン保護フィルタを示す分解斜視図である。
【図２】図２は、本発明の他の実施形態に係るスクリーン保護フィルタおよび電子機器を示す分解斜視図である。
【図３】図３は、本発明の実施形態に係る保護フィルタ本体を示す断面図である。
【図４】図４は、本発明の実施形態に係る回折格子層を示す断面図である。
【図５】図５は、本発明の第２の実施形態に係るスクリーン保護フィルタを示す斜視図である。
【図６】図６は、本発明の第３の実施形態に係るスクリーン保護フィルタを示す斜視図である。
【図６Ａ】図６Ａは、図６の線Ａ-Ａ’ に沿った部分断面図である。
【図６Ｂ】図６Ｂは、図６の線Ｂ-Ｂ’ に沿った部分断面図である。
【図６Ｃ】図６Ｃは、本発明の他の実施形態に係る図６の線Ｂ-Ｂ’に対応する部分断面図である。
【図７】図７は、本発明の第４の実施形態に係るスクリーン保護フィルタを示す斜視図である。
【図８】図８は、本発明の第５の実施形態に係るスクリーン保護フィルタを示す斜視図である。
【図９】図９は、本発明の第６の実施形態に係るスクリーン保護フィルタを示す斜視図である。
【図１０】図１０は、本発明の第７の実施形態に係るスクリーン保護フィルタを示す斜視図である。
【図１０Ａ】図１０Ａは、本発明の第７の実施形態に係るスクリーン保護フィルタを示す斜視図である。
【図１１】図１１は、本発明の他の実施形態に係るスクリーン保護フィルタを示す斜視図である。
【図１２】図１２は、本発明の他の実施形態に係るスクリーン保護フィルタを示す斜視図である。
【図１３】図１３は、本発明の他の実施形態に係るスクリーン保護フィルタを示す斜視図である。
【図１４】図１４は、本発明の他の実施形態に係るスクリーン保護フィルタを示す斜視図である。
【図１５】図１５は、本発明の他の実施形態に係るスクリーン保護フィルタを示す正面図である。
【図１６】図１６は、本発明の他の実施形態に係るスクリーン保護フィルタを示す正面図である。
【図１７】図１７は、本発明の他の実施形態に係るスクリーン保護フィルタを示す側面図である。
【図１８】図１８は、本発明の他の実施形態に係るスクリーン保護フィルタを示す側面図である。
【図１９】図１９は、本発明の他の実施形態に係るスクリーン保護フィルタを示す平面図である。
【図２０】図２０は、本発明の他の実施形態に係るスクリーン保護フィルタを示す底面図である。
【図２１Ａ】図２１Ａは、本発明の他の実施形態に係るスクリーン保護フィルタを示す正面図である。
【図２１Ｂ】図２１Ｂは、本発明の他の実施形態に係るスクリーン保護フィルタを示す正面図である。
【図２１Ｃ】図２１Ｃは、本発明の他の実施形態に係るスクリーン保護フィルタを示す正面図である。
【図２１Ｄ】図２１Ｄは、本発明の他の実施形態に係るスクリーン保護フィルタを示す正面図である。
【図２１Ｅ】図２１Ｅは、本発明の他の実施形態に係るスクリーン保護フィルタを示す正面図である。
【図２２Ａ】図２２Ａは、本発明の他の実施形態に係るスクリーン保護フィルタを示す正面図である。
【図２２Ｂ】図２２Ｂは、本発明の他の実施形態に係るスクリーン保護フィルタを示す正面図である。
【図２２Ｃ】図２２Ｃは、本発明の他の実施形態に係るスクリーン保護フィルタを示す正面図である。
【図２３Ａ】図２３Ａは、本発明の他の実施形態に係るスクリーン保護フィルタを示す正面図である。
【図２３Ｂ】図２３Ｂは、本発明の他の実施形態に係るスクリーン保護フィルタを示す正面図である。
【図２３Ｃ】図２３Ｃは、本発明の他の実施形態に係るスクリーン保護フィルタを示す正面図である。
【図２４Ａ】図２４Ａは、本発明の他の実施形態に係るスクリーン保護フィルタを示す部分分解図である。
【図２４Ｂ】図２４Ｂは、本発明の他の実施形態に係るスクリーン保護フィルタを示す部分分解図である。
【図２４Ｃ】図２４Ｃは、本発明の他の実施形態に係るスクリーン保護フィルタを示す部分分解図である。
【図２４Ｄ】図２４Ｄは、本発明の他の実施形態に係るスクリーン保護フィルタを示す部分分解図である。
【図２４Ｅ】図２４Ｅは、図２４Ｄの円部分５の拡大図である。
【発明を実施するための形態】
【００１４】
本発明の主旨および範囲について、以下に挙げられた好ましい実施形態に基づいて説明する。
【００１５】
図１は、本発明の第１の実施形態に係るスクリーン保護フィルタを示す分解斜視図である。この実施形態において、スクリーン保護フィルタ１は、図１に示すように、保護フィルタ本体１０と吸着部材２０とを含む。保護フィルタ本体１０は、画定された吸着領域１１と保護領域１５とを並列に有する。吸着領域１１は、保護フィルタ本体１０の長手方向の端縁（図１の上端縁）に画定されるとともに、保護フィルタ本体１０の上端縁の長手方向の上端面１１１に隣接している。保護領域１５は、保護フィルタ本体１０の吸着領域１１を除く他の部分を保護するものである。保護フィルタ本体１０の吸着領域１１に受容孔１２が形成されてある。各受容孔１２は、保護フィルタ本体１０の表面１３から裏面１４まで連通されている。本出願に係る実施形態において、吸着部材２０は、１つ以上の吸着ブロック２１を含んでいる。吸着ブロック２１を受容孔１２に挿入するかまたは装着することにより、各吸着ブロック２１を受容孔１２内に位置決めすることができる。一実施形態において、よりきれいに整えるためには、吸着ブロック２１の外表面を、保護フィルタ本体１０の表面１３および裏面１４に合わせて揃えることが好ましい。しかし、本実施形態に限定されるものではなく、吸着ブロック２１の表面は、保護フィルタ本体１０の表面よりも高くても低くてもよい。
【００１６】
従って、図２に示すように、吸着部材２０を保護フィルタ本体１０の吸着領域１１に設けることにより、吸着部材２０を有する保護フィルタ本体１０は、電子機器２の吸着素子３に対応して装着されるようになる。吸着部材２０および吸着素子３はそれぞれ、異なる磁極を有する磁石（例えば、フェライト（ferrite）磁石、アルニコ磁石、または希土類磁石）であってもよい。吸着部材２０と吸着素子３とを互いに引き合わせるためには、吸着部材２０および吸着素子３のうち、いずれか一方は磁石であり、他方は強磁性体（例えば、Ｆｅ、Ｎｉ、Ｃｏ、その他の磁気吸着可能な金属素子）であるとすればよい。いくつかの実施形態において、電子機器２の吸着素子３は、電子機器２の外カバーに装着されるとともに、ディスプレイ４の表示パネルに固定される支持部により実現することもできる。さらには、吸着素子は、ディスプレイ４の支持部の付属部（additional part）であってもよい。吸着素子３は、支持部として構成されてもよく、支持部の付属部として構成されてもよい。また、吸着素子３は、磁力によって吸着することが可能な磁石または強磁性体であればよい。異なる実施形態において、吸着素子３の位置は、必要に応じて変化するとしてもよい。例えば、ディスプレイ４を取り囲む表示パネル周辺の端縁及び／又は隅角部に位置されてもよく、ディスプレイ４の表示パネルの裏面の表示パネルの端縁に隣接してもよい。一実施形態において、吸着部材２０と吸着素子３とがそれぞれ異なる磁極を有する磁石である場合、吸着部材２０は、磁力吸引で自動的に吸着素子３に位置合わせることができ、これにより、スクリーン保護フィルタ１を自動的に位置決めて、電子機器２のディスプレイ４の正しい位置に、装着することができる。この実施形態において、電子機器２はノートパソコンであり、保護フィルタ本体１０の吸着部材２０を対応して装着するために、ノートパソコンのディスプレイ４の上側部分に吸着素子３が内蔵される。保護スクリーン体１０を移動すると、吸着部材２０が吸着素子３に近寄って、磁力が作用することにより、吸着部材２０は吸着素子３に引き付けられる。従って、スクリーン保護フィルタ１は電子機器２に位置される場合、保護フィルタ本体１０の保護領域１５が電子機器２のディスプレイ４を対応して覆うことにより、隣の人がディスプレイ４のプライバシーコンテンツが見られることを防止することができる。また、ユーザがスクリーン保護フィルタ１を取り外したい場合、ユーザは、吸着部材２０を電子機器２０の吸着部材から取り外すだけで、迅速に着脱することができる。また、開口部１７は、電子機器２の視覚センサ５（例えばＣＣＤやＣＭＯＳ素子を有するカメラ等）に対応するように、保護フィルタ本体１の吸着領域１１にて画定される。ここで、開口部を、開孔、又は、オープニングと称する場合もある。スクリーン保護フィルタ１を電子機器２に装着するときに、この開口部により、視覚センサ５が保護フィルタ本体１０に覆われることを防止することができる。もちろん、保護フィルタ本体１０には、必要に応じて、電子機器２のあらゆる他の機能素子（例えば、ランプ、イヤホンジャックまたは機能ボタン）に対応するように、他の開口部または穴を画定する��とができる。
【００１７】
また、本実施形態では、図１に示すように、保護フィルタ本体１０の吸着領域１１に２つの受容孔１２が画定される。各受容孔１２はそれぞれ長溝である。受容孔１２は、保護フィルタ本体１０の中心線Ｃ１に準じて対称的に画定される。各吸着ブロック２１は、受容孔１２の形状に応じて、大きな吸着領域を得るための棒状にするものであってよい。また、各受容孔１２にそれぞれ位置決めされた吸着ブロック２１も、保護フィルタ本体１０の中心線Ｃ１に準じて対称的に画定される。従って、保護フィルタ本体１０の吸着領域１１を電子機器２に均一に装着することができ、これにより、位置決めをより良く実現することができる。いくつかの実施形態において、保護フィルタ本体１０の吸着領域１１には、単に１つの受容孔１２が画定されるだけでも良いが、それに限定されない。また、図５は、本発明の第２の実施形態に係るスクリーン保護フィルタを示す斜視図である。図５に示すように、第２の実施形態が第１の実施形態との相違点は、複数の吸着点が設けられるとともに、位置決め効果を高めるために、保護フィルタ本体１０の中心線Ｃ１の両側の吸着領域１１にそれぞれ複数の吸着ブロック２１（ここでは各吸着ブロック２１が円形または楕円形である）が配置されていることにある。なお、理解すべき点は、本出願の吸着部材２０の吸着ブロック２１は、図示される形状及び／又は寸法にしてもよく、その他の様々な形状及び／又はサイズにしてもよい。また、所定の保護フィルタ本体１０に、異なる形状及び／又は寸法のある吸着ブロック２１を用いることができる。また、本出願の実施形態において、吸着ブロック２１は、所定の保護フィルタ本体１０の図示された位置以外に、他の位置に配置されてもよい。
【００１８】
図３は、本発明の実施形態に係る保護フィルタ本体を示す断面図である。保護フィルタ本体１０は、図３の示すように、二つの外面層１０１,１０３と、回折格子層１０２とを有する。しかしながら、本出願の他の実施形態において、保護フィルタ本体１０には、１層の外面層１０１のみを有してもよく、２層以上の外面層１０１を有していてもよい。外面層１０１,１０３は、透明度の高い樹脂層であってもよい。例えば、外面層１０１,１０３は、ポリイミド、ポリエチレンテレフタレート、ポリカーボネート、またはＰＥＴであってもよい。回折格子層１０２は、二つの外面層１０１,１０３の間に配置されている。例えば、二つの外面層１０１,１０３は、それぞれ回折格子層１０２の２つの対向する面に設けられている。
【００１９】
図４は、本発明の実施形態に係る回折格子層を示す断面図である。図４を参照すると、回折格子層１０２は、マイクロルーバ原理（micro-louver principle）に従って構成された複数の不透明な回折格子壁１０２１を含む。回折格子層１０２の不透明な回折格子壁１０２１は、ある角度α内で通過する光を制限するために、一定の間隔（即ち、直立したルーバー構造）で平行に配置されている。これにより、角度α内の視野角のみを提供することができる。この角度は、回折格子層１０２に垂直（すなわち、０度）な矢印Ｖとして示されている。これを通す光の全ては、ほとんど、ブロックされないため、影響を受けない可視性を得ることができる。視野角と角度αとの差が大きいほど、輝度が低くなるので、近い箇所にある人からのぞき見を防止することが可能になるため、プライバシーを十分に守ることができる。
【００２０】
図６は、本発明の第３の実施形態に係るスクリーン保護フィルタを示す斜視図である。図６を参照すると、この実施形態と第１の実施形態との主な違い点は、保護フィルタ本体１０が、吸着領域１１内に配置された遮蔽部材３０をさらに含むことにある。例えば、遮蔽部材３０は、吸着領域１１を覆うようにホットプレスで成形され、さらに、図６（Ｂ）に示すように、吸着ブロック２１を保護しながら外見を美観化にするために、吸着ブロック２１の外側部分と受容孔１２の外側部分とを覆うようになっている。なお、理解すべき点は、遮蔽部材は、表面１３および裏面１４の両方を覆ってもよいし、保護フィルタ本体１０の表面１３または裏面１４のみを覆ってもよい。遮蔽部材３０は、防塵や防水、耐摩耗の効果を得るために、ＰＵ、ＰＣ、ＰＭＭＡ、ＰＥ、ＰＶＣ、ＰＥＴなどで作製されたプラスチック部材であってもよいし、ゴム、シリコン、皮革、布などからなるものであってもよく、透明、半透明または不透明であってもよい。他の実施形態において、遮蔽部材３０は、既知のインク溶液からなるインク層を印刷することにより形成されてもよいし、本明細書に挙げられた実施例にて述べたインク溶液を構成する材料のいずれかで形成されてもよい。
【００２１】
図６、図６Ａ、および図６Ｂに示すように、本出願の一実施形態において、遮蔽部材３０には、貫通孔３１がさらに画定される。図２を併せて参照すると、貫通孔３１は、保護フィルタ本体１０の開口部１７および電子機器２の視覚センサ５に対応するように画定されるため、スクリーン保護フィルタ１が電子機器２に装着されたときに視覚センサ５が遮蔽部材３０に覆われることを防止することができる。図７に示すように、遮蔽部材３０は、開口部１７の内壁を覆うことができる。あるいは、図６および図６Ａに示すように、遮蔽部材３０は、開口部１７の内壁を覆っておらず、開口部１７の内壁を露出させることができる。図６、図６Ａ、および図６Ｂに示す実施形態において、保護フィルタ本体１０の上側部分の長手方向の上端面１１１は、遮蔽部材３０によって覆われる。図６Ｃを参照すると、図６Ｃは、本発明の他の実施形態の図６の線Ｂ-Ｂ ’に対応する部分断面図を示し、保護フィルタ本体１０の上側部分の長手方向の上端面１１１を露出させるように、表面１３および裏面１４に遮蔽部材３０が１つずつ計２つ提供される。なお、理解すべき点は、スクリーン保護フィルタ１が電子機器２に装着されたとき、遮蔽部材３０は、スクリーン保護フィルタ１と電子機器２との間の緩衝作用を提供することができるという点である。いくつかの実施形態において、遮蔽部材３０には、図示されていない電子機器２の他の機能素子（例えば、ランプや、イヤホンジャック、または機能ボタン）に対応するように画定される、他の開口または穴をさらに含むことができる。
【００２２】
図７は、本発明の第４の実施形態に係るスクリーン保護フィルタを示す斜視図である。図７を参照すると、この実施形態と第３の実施形態との相違点は、保護フィルタ本体１０の端縁に延在されるプルタブ１６が配置されており、このプルタブ１６は、スクリーン保護フィルタ１が電子機器２に装着された後、電子機器２の側端面から突出することができるという点である。ユーザがスクリーン保護フィルタ１を取り外したい場合、ユーザがプルタブ１６を持ち外力を加えれば、スクリーン保護フィルタ１を電子機器２から取り外すことができる。さらに、いくつかの実施形態において、構造強度を一層向上するとともに、製造技術をより良好に実現するために、プルタブ１６および保護フィルタ本体１０は一体に形成することができる。
【００２３】
図８は、本発明の第５の実施形態に係るスクリーン保護フィルタを示す斜視図である。図８を参照すると、この実施形態において、電子機器２はタブレット型コンピュータであり、スクリーン保護フィルタ１の吸着領域１１ ’は、保護フィルタ本体１０の周囲に沿って画定される。受容孔１２は、保護フィルタ本体１０の４つの端縁の全てに形成されており、各受容孔１２には吸着ブロック２１が配置され、吸着ブロック２１は電子機器２に内蔵された吸着素子３に対応する。好ましくは、受容孔１２と吸着ブロック２１は、保護フィルタ本体１０の中心線Ｃ２に準じて対称的に画定されるものであり、これにより、装着効果をより良好に達成することができる。他の実施形態において、受容孔１２およびその中に配置された吸着ブロック２１は、保護フィルタ本体１０の一方の長手方向の端縁または一方の幅方向の端縁のみに設けられてもよいし、２つの対向する長手方向の端縁または２つの対向する幅方向の端縁に設けられてもよいし、さらに３つの隣接する端縁に設けられてもよい。換言すれば、保護フィルタ本体１０の１つ以上の端縁には、電子機器２の吸着素子３に装着することができる。
【００２４】
図９は、本発明の第６の実施形態に係るスクリーン保護フィルタを示す斜視図である。図９を参照すると、この実施形態において、スクリーン保護フィルタ１上の受容孔１２を省略して、吸着領域１１における保護フィルタ本体１０の表面１３に吸着部材２０を直接設けている。例えば、吸着部材２０は、吸着領域１１の保護フィルタ本体１０の表面１３に、接着またはホットプレスにより設けられる。この実施形態において、吸着部材２０は、保護フィルタ本体１０の中心線Ｃ１に準じて対称的に設けられた複数の吸着ブロック２１を含む。あるいは、図１０に示すように、吸着部材２０は、吸着領域１１の大部分を覆うための、１本の長尺の棒状吸着ブロック２１を備える。吸着ブロック２１の開口部２０１は、保護フィルタ本体１０の開口部１７に対応するように構成されている。すなわち、吸着ブロック２１は、保護フィルタ本体１０の長手方向の端縁に設置されているとともに、保護フィルタ本体１０の長手方向の端縁の長手方向の上端面１１１に隣接している。他の実施形態において、吸着部材２０は、吸着領域１１全体を覆うように吸着領域１１と全く同じ形状およびサイズを有することができる。本出願の実施形態において、図６、図６Ａ、図６Ｂ、図６Ｃ、および図１０Ａに示すように、図９または図１０の吸着部材２０の外側部分を１つ以上の遮蔽部材３０で覆うこともできる。異なる実施形態において、１つ以上の遮蔽部材３０は、吸着領域１１の表面１３および裏面１４の一方または両方を覆うとともに、吸着ブロック２１の外面を覆うように構成されている。また、遮蔽部材３０は、吸着領域１１における保護フィルタ本体１０の上端面１１１全体を覆ってもよく、或いは、吸着領域１１における保護フィルタ本体１０の一部の上端面１１１のみを覆ってもよい。本出願の実施形態において、遮蔽部材３０は、例えば、保護フィルタ本体１０の（吸着領域１１の位置にある）表面１３および裏面１４の一方または両方を覆うことができる。このとき、吸着ブロック２１が遮蔽部材３０と保護フィルタ本体１０との間に設けられるかまたは保護フィルタ本体１０内に配置されている。さらに、本出願のいくつかの実施形態において、保護フィルタ本体１０の１つ以上の端面を遮蔽部材３０で覆うことができる一方、本出願の他の実施形態において、保護フィルタ本体１０の端面を露出させることができる。なお、理解すべき点は、図１、図５、図８、図９、および複数の実施形態に係わる説明に開示されている受容孔１２は、中心線Ｃ１、Ｃ２に準じて対称的に位置されているが、本出願の他の実施形態において、吸着ブロック２１の位置は、非対称的に設けられていてもよい点である。これは、対称的に配置されていない吸着素子３を備える電子機器２に対して特に有用であり、一例として、電子機器２の吸着素子３には保護フィルタ本体１０が設けされていない実施形態が挙げられる。
【００２５】
図１１、図１２および図１３を参照すると、本発明の他の実施形態において、１つ以上の吸着ブロック２１を含む吸着部材２０は、保護フィルタ本体１０の１つの長手方向の端縁（図１１）または１つの幅方向の端縁（図示せず）に設けられてもよいし、２つの対向する長手方向の端縁（図１２）または２つの対向する幅方向の端縁（図示せず）に設けられてもよいし、全て４つの端縁（図１３）または ３つの端縁（図示せず）に設けられてもよい。同様に、１つ以上の遮蔽部材３０は、保護フィルタ本体１０の表面１３及び／又は裏面１４に配置されることにより、吸着ブロック２１を覆うことができる。従って、本出願の実施形態において、保護フィルタ本体１０の１つまたは複数の端縁は、磁力により電子機器２の吸着素子３に装着することができるように、構成されている。さらに、あらゆる前記の実施形態、実例および図面において、少なくとも１つの遮蔽部材３０の切欠き３２と、保護フィルタ本体１０の対応する開口部１７と、吸着ブロック本体２１の対応する開口部２０１のうち、いずれも、同じまたは類似の形状の凹口を有するように画定されて構成することができる。従って、スクリーン保護フィルタ１が異なる電子機器２のディスプレイ４に着脱自在に装着される場合、遮蔽部材３０の切欠き３２、保護フィルタ本体１０の対応する開口部１７、および吸着部材２０の対応する開口部２０１は、露出に配置される方法又はその他の方法により、様々な電子機器の機能を妨害しないように、すなわち、異なる電子機器２の様々なサイズ、形状、位置、及び／又は数の機能素子（例えば、視覚センサ５、ランプ、イヤホンジャックまたは機能ボタン）がカバーされることを避けるように、構成されている。本出願の実施形態において、遮蔽部材３０の切欠き３２、保護フィルタ本体１０の対応する開口部１７、および吸着部材２１の対応する開口部２０１の形状は、台形形状または矩形形状であってもよい。
【００２６】
図１１、図１２、および図１３に示すように、吸着ブロック本体２１は、吸着領域１１におけるプライバシー用の保護フィルタ本体１０の１つ以上の対応する端縁（図１１の１つの長手方向の端縁、図１２の２つの対向する長手方向の端縁、および図１３の４つの端縁）に設けられた細長い磁性／強磁性シートまたは金属シート／おび／紙を含むことができる。吸着ブロック２１は、図１１および図１２に示すように、保護フィルタ本体１０の端縁全体または全ての端縁を覆ってもよいし、図１０に示すように、吸着ブロック２１の露出する表面１３の露出端縁に設置してもよい。吸着ブロック２１は、吸着領域１１の保護フィルタ本体１０の表面及び／又は裏面を覆うことができる。従って、遮蔽部材３０は、吸着ブロック２１を覆うことができる。本出願のいくつかの実施形態において、吸着ブロック２１は、保護フィルタ本体１０の３つの端縁に設けられてもよい。図１１、図１２、および図１３に示すように、遮蔽部材３０に覆われずに、吸着領域１１における保護フィルタ本体１０の上端面１１１（保護フィルタ本体１０の長手方向／幅方向の端縁または隅角部）が露出されるとしてもよい。あるいは、他の実施形態において、保護フィルタ本体１０の上端面１１１は、図６および図７に示す遮蔽部材３０のフルカバーと同様に、遮蔽部材３０によって覆われてもよい。他の実施形態において、図１１、図１２、および図１３の保護フィルタ本体１０の裏面に配置された遮蔽部材３０及び／又は吸着ブロック２１を省略することができる。
【００２７】
図１４、図１５、図１６、図１７、図１８、図１９、および図２０を参照すると、これらの実施形態において、スクリーン保護フィルタの保護フィルタ本体１０の１つ以上の隅角部には、様々なサイズ／形状／数の吸着ブロック２１を設けることができる。また、対応する遮蔽部材３０は、吸着ブロック本体２１を直接覆うことができる。図１４は、本発明の他の実施形態に係るスクリーン保護フィルタ１を示す斜視図である。図１４では、矩形であって保護フィルタ本体１０の右下隅角部および左下隅角部のそれぞれを覆う遮蔽部材３０および吸引ブロック２１が設けられている。本出願の一実施形態において、保護フィルタ本体１０の隅角部に設けられた遮蔽部材３０は、２つの端縁で保護フィルタ本体１０の端面に直接隣接して延在され、これらの端縁は、隅角部を画定する。保護フィルタ本体１０の右下隅角部および左下隅角部の各遮蔽部材３０および吸着ブロック２１は、三角形であってもよいし、遮蔽部材３０のみが三角形であってもよい。図１４において、吸着ブロック２１および遮蔽部材３０は、保護フィルタ本体１０の表面１３および裏面１４の両方に配置されている。遮蔽部材３０及び／又は吸着ブロック２１が設けられた保護フィルタ本体１０の隅角部は、前述した吸着領域１１の一部として画定してもよい。図１４において、保護フィルタ本体１０の長手方向の端縁に沿い、かつ保護フィルタ本体１０の長手方向（上端）の上端面１１１に隣接して２つの吸着ブロック２１および２つの遮蔽部材３０が設けられているが、その間に開口部１７の位置に対応する隙間が空いている。図１５は、本発明の他の実施形態に係るスクリーン保護フィルタ１を示す正面図である。図１４と同様に、図１５では、保護フィルタ本体１０の右隅角部と左隅角部に２つの三角形の遮蔽部材３０が配置されるとともに、吸着ブロック２１も隅角部に配置されている。しかしながら、この実施形態において、保護フィルタ本体１０の裏面１４には遮蔽部材３０または吸着ブロック２１は存在しない。図１６は、本発明の他の実施形態に係るスクリーン保護フィルタ１を示す正面図である。図１４および図１５と同様に、図１６において、遮蔽部材３０および吸着ブロック２１は、保護フィルタ本体１０の裏面１４の右／左下隅角部に配置されているが、保護フィルタ本体１０の表面１３には遮蔽部材３０または吸着ロック２１は存在しない。図１７は、図１４に示す本出願の実施形態に係るスクリーン保護フィルタ１を示す側面図であり、遮蔽部材３０が保護フィルタ本体１０の端面を覆わない。図１８は、図１６に示す本出願の実施形態に係るスクリーン保護フィルタ１を示す側面図であり、ここで、遮蔽部材３０が保護フィルタ本体１０の端面を覆わない。図１９および図２０は、それぞれ、図１４に示すスクリーン保護フィルタ１の実施形態に係るスクリーン保護フィルタ１を示す平面図および底面図である。図１４に示すように、図１５〜図２０の実施形態は、保護フィルタ本体１０の長手方向の端縁に沿って延在し、保護フィルタ本体１０の長手方向（上端）の上端面１１１に隣接して配置された２つの吸着ブロック２１を示すが、その間に開口部１７の位置に対応する間隙が存在される。なお、図１４、図１５および図１６の保護フィルタ本体１０の開口部１７に対応する間隙は、異なる電子機器２の様々なサイズ、形状、位置及び／又は数の機能素子（例えば、視覚センサ５、ランプ、イヤホンジャックまたは機能ボタン）に適当に対応する。ただし、本出願の実施形態において、図１０に示すような貫通孔を有する吸着ブロック２１や図１１に示す切欠きのある他の装置は、図１４〜図２０に示す隅角部の吸着ブロック２１および遮蔽部材３０とともに、保護フィルタ本体１０の表／裏面の一方または両方に設けられることができる。
【００２８】
他の実施形態において、保護フィルタ本体１０は、隅角部のみに配置された遮蔽部材３０および吸着ブロック２１を含み、保護フィルタ本体１０のあらゆる線状端縁に遮蔽部材３０および吸着部材２０が設置されていない。
【００２９】
図２１Ａ、図２１Ｂ、図２１Ｃ、図２１Ｄ、および図２１Ｅは、それぞれ、本発明の実施形態に係るスクリーン保護フィルタ１を示す正面図である。図２１Ａ、図２１Ｂ、図２１Ｃ、図２１Ｄ、および図２１Ｅを参照すると、ここで、保護フィルタ本体１０の左右の隅角部に配置され端遮蔽部材３０は、例えば扇形（図２１Ａ）やＬ字状（図２１Ｂ）、矩形形状（図２１Ｃおよび図２１Ｄ）および四方形状（図２１Ｅ）などの異なる形状を有し、異なる電子機器２の吸着素子３の位置／形状／サイズ／数の設計要件に応じて決められる。本出願の実施形態において、保護フィルタ本体１０の隅角部に設置された遮蔽部材３０は、２つの端縁で保護フィルタ本体１０の端面に直接隣接して延在され、これらの端縁は、隅角部を画定する。図示されているように、隅角部に設けられた吸着ブロック２１は、対応する遮蔽部材３０（図２１Ａおよび図２１Ｃ）に覆われた領域よりも小さく、各隅角部での単一のインサート型吸着ブロック２１であってもよい。各隅角部の単一のインサート型吸着ブロック２１は、対応する遮蔽部材３０（図２１Ｂ）と同じ形状および寸法である。隅角部に配置された複数のインサート型吸着ブロック２１は、同じ形状（図２１Ｄ）または異なる形状（図２１Ｅ）を有する。同様に、保護フィルタ本体１０の上端縁の吸着ブロックは、覆われた対応遮蔽部材３０（図２１Ａ）と同じ形状および寸法を有する２つの吸着ブロック２１（図２１Ａ）を備えることができるし、同じ形状（図２１Ｂ、図２１Ｃ、および図２１Ｄ）または異なる形状（図２１Ｅ）を有し、かつそれぞれが対応する遮蔽部材３０に覆われる領域よりも小さい２つ以上のインサート型吸着ブロック２１を備えることができる。なお、吸着ブロック２１および遮蔽部材は、図示の領域よりも遮蔽部材３０に覆われる領域を狭くするように構成されてもよい。なお、本出願の他の実施形態では、遮蔽部材３０及び／又は吸着ブロック２１は、裏面１４に配置されてもよいし、裏面１４のみに交互に配置されてもよい。
【００３０】
いくつかの実施形態において、吸着ブロック２１は、保護フィルタ本体１０の２つ、３つまたは４つの端縁に配置される。
【００３１】
図２２Ａ、図２２Ｂ、および図２２Ｃは、それぞれ、本発明の他の実施形態に係るスクリーン保護フィルタ１を示す正面図である。図２２Ａ、図２２Ｂ、および図２２Ｃを参照すると、本実施形態において、遮蔽部材３０および吸着ブロック２１は、保護フィルタ本体１０の幅方向の端縁に配置されている。図２２Ａに示すように、保護フィルタ本体１０の幅方向の端縁に沿って延在し、保護フィルタ本体１０の開口部１７の位置に対応するように隙間が空く２つの吸着ブロック２１と２つの遮蔽部材３０が提供される。切欠き３２は、図２２Ｂに示すように、保護フィルタ本体１０の幅方向の端縁全体に沿って延在される遮蔽部材３０に形成され、保護フィルタ本体１０の開口部１７および吸着ブロック２１の開口部２０１に対応する。貫通孔３１は、図２２Ｃに示すように、保護フィルタ本体１０の幅方向の端縁全体に沿って延在される遮蔽部材３０に形成され、保護フィルタ本体１０の開口部１７および吸着ブロック２１の開口部２０１に対応する。図２２Ａ〜図２２Ｃに示すように、遮蔽部材３０及び吸着ブロック２１は、保護フィルタ本体１０の下側の幅方向の端縁に配置されてもよい。なお、本出願の他の実施形態において、遮蔽部材３０および/または吸着ブロック２１は、裏面１４に設けられてもよく、あるいは裏面１４のみに交互に配置されてもよい。さらに、本出願の他の実施形態において、開口部１７、間隙、切欠き３２若しくは貫通孔３１、および開口部２０１は、上側の幅方向の端縁ではなく下側の幅方向の端縁に配置されてもよいし、上側の幅方向の端縁および下側の幅方向の端縁の両方に配置されてもよい。
【００３２】
図２３Ａ、図２３Ｂ、および図２３Ｃは、それぞれ、本発明の他の実施形態に係るスクリーン保護フィルタ１を示す正面図である。図２３Ａ、図２３Ｂ、および図２３Ｃを参照すると、これらの実施形態において、遮蔽部材３０および吸収ブロック２１は、保護フィルタ本体１０の４つの端縁のすべてに沿って延在される。遮蔽部材３０と吸着ブロック２１とは、図２３Ａに示すように、保護フィルタ本体１０の上端縁に非連続的で保護フィルタ本体１０の開口部１７の位置に対応する隙間が空いている。図２３Ｂおよび図２３Ｃに示すように、遮蔽部材３０および吸着ブロック本体２１は、保護フィルタ本体１０の全て４つの端縁全長に沿って延在される。切欠き３２は、図２３Ｂに示すように、保護フィルタ本体１０の開口部１７および吸着ブロック２１の開口部２０１に対応するように、保護フィルタ本体１０の上端縁の遮蔽部材３０に配置されている。貫通孔３１は、図２３Ｃに示すように、保護フィルタ本体１０の開口部１７と吸着ブロック２１の開口部２０１に対応するように、保護フィルタ本体１０の上端縁の遮蔽部材３０に配置されている。なお、本出願の他の実施形態において、遮蔽部材３０及び／又は吸着ブロック２１は、裏面１４に配置されてもよく、あるいは裏面１４のみに交互に配置されてもよい。さらに、本出願の他の実施形態において、開口部１７、間隙、切欠き３２若しくは貫通孔３１、および開口部２０１は、上側の幅方向の端縁ではなく下側の幅方向の端縁に配置されてもよいし、上側の幅方向の端縁および下側の幅方向の端縁の両方に配置されてもよい。
【００３３】
図２４Ａ、図２４Ｂ、および図２４Ｃは、それぞれ、本発明の他の実施形態に係るスクリーン保護フィルタ１の部分分解図である。図２４Ａ、図２４Ｂ、および図２４Ｃを参照すると、これらの実施形態において、対応する寸法および形状を有する遮蔽部材３０および吸収ブロック２１は、保護フィルタ本体１０の上端縁で折り畳まれるように構成される。層は非常に薄く２層構造が明確にされないため、図２４Ａ〜図２４Ｃでは、遮蔽部材３０と吸着ブロック２１は単層として図示される。図２４Ｄおよび図２４Ｅには２層構造を示しており、図２４Ｄは、図２４Ａ〜図２４Ｃにおけるそれぞれの上端面１１１の部分断面図であり、図２４Ｅは、図２４Ｄの円部分５の拡大図である。
【００３４】
吸着部材２０の吸着ブロック２１は、図２４Ａに示すように、保護フィルタ本体１０の上端縁および上端面１１１を覆うように折り畳まれ、かつ、保護フィルタ本体１０の上端縁および上端面１１１に隣接する表面１３／裏面１４の上側部分を覆うように構成されている。吸着部材２０の折り畳まれた吸着ブロック２１は、前部２１Ａと後部２１Ｂとの間に中間部２１Ｃを有し、ここで、前部２１Ａ および後部２１Ｂはそれぞれ、表面１３／裏面１４の上側部分を覆い、中間部２１Ｃは、図２４Ｄおよび図２４Ｅに示すように、上端面１１１を覆う。同様に、前部３０Ａと後部３０Ｂとの間の中間部３０Ｃを有する遮蔽部材３０は、折り畳まれた吸着ブロック２１を覆うように折り畳まれており、遮蔽部材３０の前部３０Ａ／後部３０Ｂは、それぞれ、折り畳まれた吸着ブロック２１の前部２１Ａ／後部２１Ｂを覆い、図２４Ｄおよび図２４Ｅに示すように、遮蔽部材３０の中間部３０Ｃは、折り畳まれた吸着ブロック２１の中間部２１Ｃを覆う。前記実施形態において、折り畳まれた遮蔽部材３０および折り畳まれた吸収ブロック２１は、いずれも折り畳まれて保護フィルタ本体１０の上端縁全体に沿って延在される。また、前記実施形態において、遮蔽部材３０の前部３０Ａ／後部３０Ｂには２つの貫通孔３１が形成されており、折り畳まれた吸着ブロック本体２１の前部２１Ａ／後部２１Ｂには対応する２つの開口部２０１が画定されており、これらの貫通孔３１および開口部２０１の寸法、形状および位置は、保護フィルタ本体１０の開口部１７に対応する。
【００３５】
吸着部材２０の吸着ブロック２１は、図２４Ｂに示すように、保護フィルタ本体１０の上端縁および上端面１１１を覆い、保護フィルタ本体１０の上端縁および上端面１１１に隣接する表面１３／裏面１４の上側部分を覆うように折り畳まれている。吸着部材２０の折り畳まれた吸着ブロック２１は、前部２１Ａと後部２１Ｂとの間に中間部２１Ｃを有し、ここで、前部２１Ａ／後部２１Ｂはそれぞれ、表面１３／裏面１４の上側部分を覆い、中間部２１Ｃは、図２４Ｄおよび図２４Ｅに示すように、上端面１１１を覆う。前部３０Ａと後部３０Ｂとの間の中間部３０Ｃを有する遮蔽部材３０は、それぞれ、折り畳まれた吸着ブロック２１を覆うように折り畳まれており、遮蔽部材３０の前部３０Ａ／後部３０Ｂは、遮蔽部材３０の前部２１Ａ／後部２１Ｂをそれぞれ覆い、図２４Ｄおよび図２４Ｅに示すように、遮蔽部材３０の中間部３０Ｃは、折り畳まれた吸着ブロック２１の中間部２１Ｃを覆う。前記実施形態において、遮蔽部材３０および折畳まれた吸着ブロック２１は、いずれも折り畳まれて保護フィルタ本体１０の上端縁全体に沿って延在される。また、前記実施形態において、遮蔽部材３０の前部３０Ａ／後部３０Ｂ／中間部３０Ｃに２つの切欠き３２が画定されており、折り畳まれた吸着ブロック２１の前部２１Ａ／後部２１Ｂ／中間部２１Ｃに対応する２つの開口部２０１が画定され、これらの切欠き３２および開口部２０１のサイズ、形状および位置は、保護フィルタ本体１０の開口部１７に対応する。
【００３６】
吸着部材２０の２つの吸着ブロック２１は、図２４Ｃに示すように、保護フィルタ本体１０の上端縁および上端面１１１を覆うように折り畳まれ、かつ保護フィルタ本体１０の上端縁および上端面１１１に隣接する表面１３／裏面１４の上側部分を覆う。２つの別々の上端面１１１と表面１３／裏面１４の別々の上側部分は、いずれもその間の隙間によって分離されている。吸着部材２０の２つの折り畳まれた吸着ブロック２１の各々は、前部２１Ａと後部２１Ｂとの間の中間部２１Ｃを有し、前部２１Ａ／後部２１Ｂがそれぞれ表面１３／裏面１４の上側部分の一部を覆い、図２４Ｄおよび図２４Ｅに示すように、中間部２１Ｃが上端面１１１を覆う。前部３０Ａと後部３０Ｂとの間の中間部３０Ｃを有する遮蔽部材３０の各々は、折り畳まれた吸着ブロック２１を覆うように折り畳まれており、遮蔽部材３０の前部３０Ａ／後部３０Ｂは、それぞれ、折り畳まれた吸着ブロック２１の前部２１Ａおよび後部２１Ｂを覆い、遮蔽部材３０の中間部３０Ｃは、図２４Ｄおよび図２４Ｅに示すように、折り畳まれた吸着ブロック本体２１の中間部２１Ｃを覆う。前記実施形態において、前部３０Ａ／後部３０Ｂ／中間部３０Ｃを有する２つの遮蔽部材３０、および、前部２１Ａ／後部２１Ｂ／中間部２１Ｃを有する２つの吸着ブロック２１は、隙間を画定する部分以外の保護フィルタ本体１０の上端面１１１全体に沿って覆いながら延在される。さらに、前記実施形態において、隙間のサイズ、形状、および位置は、保護フィルタ本体１０の開口部１７に対応する。
【００３７】
さらに、本出願の他の実施形態において、図２４Ａ〜図２４Ｅに示すように、保護フィルタ本体１０の端縁を覆う、折り畳まれた吸着ブロック２１は、保護フィルタ本体１０における他の２つの隣接する端縁によって画定された１つ以上の隅角部に設けられてよい。このとき、対応して折り畳まれた遮蔽部材３０は、吸着ブロック２１を覆っても、覆わなくてもよい。
【００３８】
したがって、前記に挙げられた実施形態では、保護フィルタ本体の吸着領域に設けられた吸着部材を有する様々なスクリーン保護フィルタが開示されている。装着過程において、吸着部材を電子機器の吸収素子に合わせて揃えるだけで、スクリーン保護フィルタを電子機器に速やかに装着することができ、電子機器のスクリーンを覆うことができ、それにより、近い箇所にいる人による画面内容へのぞき見を防止することができるとともに、プライバシーを守ることができる。吸着部材を吸着素子に装着するとともに、吸着部材を吸着素子から取り外すことができるため、必要に応じて、スクリーン保護フィルタを電子機器のスクリーンに対し容易に着脱することができる。
【００３９】
以上に、好ましい実施形態を挙げて本発明の詳細を説明したが、本発明の内容は、挙げられた実施形態に限られていないことは理解されたい。それに対し、本発明には、特許請求の範囲に係わる精神および範囲による様々な修飾、変更及びその同等品が含まれるべきであり、その範囲を最も広範にするように、すべての修飾、変更その同等品、及び類似な構造を含むと解釈すべきである。
【符号の説明】
【００４０】
１      スクリーン保護フィルタ
２      電子機器
３      吸着素子
４      ディスプレイ
５      視覚センサ
１０    保護フィルタ本体
１１    吸着領域
１２    受容孔
１３    表面
１４    裏面
１５    保護領域
１６    プルタブ
１７    開口部
２０    吸着部材
２１    吸着ブロック
２１Ａ  前部
２１Ｂ  後部
２１Ｃ  中間部
３０    遮蔽部材
３０Ａ  前部
３０Ｂ  後部
３０Ｃ  中間部
３１    貫通孔
３２    切欠き
１０１,１０３    外面層
１０２  回折格子層
１０２１    回折格子壁
１１１  上端面
２０１  開口部
Ｃ１    中心線
【図１】
2019113840.tif 000003
【図２】
2019113840.tif 000004
【図３】
2019113840.tif 000005
【図４】
2019113840.tif 000006
【図５】
2019113840.tif 000007
【図６】
2019113840.tif 000008
【図６Ａ】
2019113840.tif 000009
【図６Ｂ】
2019113840.tif 000010
【図６Ｃ】
2019113840.tif 000011
【図７】
2019113840.tif 000012
【図８】
2019113840.tif 000013
【図９】
2019113840.tif 000014
【図１０】
2019113840.tif 000015
【図１０Ａ】
2019113840.tif 000016
【図１１】
2019113840.tif 000017
【図１２】
2019113840.tif 000018
【図１３】
2019113840.tif 000019
【図１４】
2019113840.tif 000020
【図１５】
2019113840.tif 000021
【図１６】
2019113840.tif 000022
【図１７】
2019113840.tif 000023
【図１８】
2019113840.tif 000024
【図１９】
2019113840.tif 000025
【図２０】
2019113840.tif 000026
【図２１Ａ】
2019113840.tif 000027
【図２１Ｂ】
2019113840.tif 000028
【図２１Ｃ】
2019113840.tif 000029
【図２１Ｄ】
2019113840.tif 000030
【図２１Ｅ】
2019113840.tif 000031
【図２２Ａ】
2019113840.tif 000032
【図２２Ｂ】
2019113840.tif 000033
【図２２Ｃ】
2019113840.tif 000034
【図２３Ａ】
2019113840.tif 000035
【図２３Ｂ】
2019113840.tif 000036
【図２３Ｃ】
2019113840.tif 000037
【図２４Ａ】
2019113840.tif 000038
【図２４Ｂ】
2019113840.tif 000039
【図２４Ｃ】
2019113840.tif 000040
【図２４Ｄ】
2019113840.tif 000041
【図２４Ｅ】
2019113840.tif 000042
【外国語明細書】
2019113840000001.pdf